(57)【要約】【課題】簡単な構成によって冷却風流路における異物の堆積を防止した冷却装置を提供する。【解決手段】エンジン１の冷却装置を、クランクシャフト１０とともに回転して冷却風Ｗを送出する送風手段と、エンジンの主機表面と間隔を隔てて対向して配置され、送風手段が送出する冷却風を冷却部位へ案内する冷却風流路を構成する導風部材５０と、導風部材の一部に設けられ、冷却風を冷却対象箇所に案内する第１の位置と、冷却風流路内の堆積物を外部に排出する第２の位置との間で変位する可動部材５２とを備え、可動部材は、所定の高温状態である場合にバイメタル５３の変形によって第１の位置から第２の位置へ変位する構成とする。【選択図】図３
2017145797.tif 000002
【特許請求の範囲】
【請求項１】
エンジンの冷却装置であって、
クランクシャフトとともに回転して冷却風を送出する送風手段と、
前記エンジンの主機表面と間隔を隔てて対向して配置され、前記送風手段が送出する前記冷却風を冷却部位へ案内する冷却風流路を構成する導風部材と、
前記導風部材の一部に設けられ、前記冷却風を冷却対象箇所に案内する第１の位置と、前記冷却風流路内の堆積物を外部に排出する第２の位置との間で変位する可動部材と、
前記可動部材に設けられ、所定の高温状態である場合に変形して前記可動部材を前記前記第１の位置から前記第２の位置へ変位させるバイメタルと
を備えることを特徴とする冷却装置。
【請求項２】
前記可動部材は、前記冷却風流路が屈曲する箇所の外側に配置されること
を特徴とする請求項１に記載の冷却装置。
【請求項３】
前記可動部材は、前記冷却風流路の流路断面積が前記冷却風の流れ方向に沿って縮小される箇所に隣接して配置されること
を特徴とする請求項１又は請求項２に記載の冷却装置。
【発明の詳細な説明】
【技術分野】
【０００１】
本発明は、例えば草刈機等に搭載される空冷エンジンの冷却装置であって、特に簡単な構成によって冷却風流路における異物の堆積を防止したものに関する。
【背景技術】
【０００２】
例えば草刈機等の各種セット機器の動力源として用いられる空冷汎用エンジンは、クランクシャフトの端部に取り付けられるブロワファンが発生する冷却風を、導風部材（エアガイド）によって、シリンダやシリンダヘッド等の冷却が必要な箇所（エンジン運転中に高温となる箇所）に案内している。
このような空冷エンジンの冷却装置等に関する従来技術として、例えば特許文献１には、エンジンの運転停止後に、エンジンを収容するハウジング内が高温となることを防止するため、ハウジングに外気と連通する放熱孔を形成し、バイメタル等の熱変形部材を用いて開閉することが記載されている。
また、特許文献２には、刈払機に用いられる小型エンジンにおいて、テールパイプ内への異物の侵入を防止し、エンジンの動作不良を防止するために、形状記憶合金又はバイメタルで構成される熱感知部材が、エンジンの低温状態と高温状態に対応して、自動的に開口面積を変化させることが記載されている。
また、特許文献３には、走行式の芝刈機（モア装置）において、刈り取った芝草が搬送される排出ダクトの内底面に接触式の詰りセンサを配置し、芝草の堆積状態を検出することが記載されている。
【先行技術文献】
【特許文献】
【０００３】
【特許文献１】特開２０１２−  ７７６７６号公報
【特許文献２】特開２０００−    ８８５１号公報
【特許文献３】特開２００５−３２３５１２号公報
【発明の概要】
【発明が解決しようとする課題】
【０００４】
例えば草刈機に搭載されるエンジンにおいては、刈り取った芝草等の異物が、冷却風に同伴して冷却風流路内に入り込み、冷却風流路の屈曲箇所や、流路断面積が絞られる箇所等に堆積し、通過する冷却風の風量が低減したり、冷却風流路を実質的に閉塞してしまう場合があった。
このような状態が発生すると、エンジンの冷却状態が悪化して、異常高温状態となり、オーバーヒートや焼き付きの原因となる。
上述した問題に鑑み、本発明の課題は、簡単な構成によって冷却風流路における異物の堆積を防止した冷却装置を提供することである。
【課題を解決するための手段】
【０００５】
本発明は、以下のような解決手段により、上述した課題を解決する。
請求項１に係る発明は、エンジンの冷却装置であって、クランクシャフトとともに回転して冷却風を送出する送風手段と、前記エンジンの主機表面と間隔を隔てて対向して配置され、前記送風手段が送出する前記冷却風を冷却部位へ案内する冷却風流路を構成する導風部材と、前記導風部材の一部に設けられ、前記冷却風を冷却対象箇所に案内する第１の位置と、前記冷却風流路内の堆積物を外部に排出する第２の位置との間で変位する可動部材と、前記可動部材に設けられ、所定の高温状態である場合に変形して前記可動部材を前記前記第１の位置から前記第２の位置へ変位させるバイメタルとを備えることを特徴とする冷却装置である。
これによれば、冷却風流路に異物が堆積した場合に、冷却風の風量が低下して冷却不足となり、エンジンの主機表面の温度が高温になると、バイメタルの変形によって可動部材が堆積物を排出する第２の位置へ変位し、堆積物が冷却風によって吹き飛ばされ、冷却風の風量を回復させることができる。
冷却風の風量が回復すると、エンジンの主機表面の温度が低下し、可動部材はバイメタルの変形によって冷却風を冷却対象箇所へ案内する第１の位置に復帰する。
以上のように、本発明によれば、簡単な構成によって冷却風流路への異物の堆積を効果的に防止し、エンジンの冷却性能を確保してオーバーヒートや焼き付きを未然に防止することができる。
また、エンジン停止後も、可動部材は余熱で作動して冷却風流路を開閉することから、堆積状況の確認や清掃が容易となる。
【０００６】
請求項２に係る発明は、前記可動部材は、前記冷却風流路が屈曲する箇所の外側に配置されることを特徴とする請求項１に記載の冷却装置である。
これによれば、異物の堆積が生じやすい冷却風流路の屈曲部において、上述した効果を発揮することができる。
【０００７】
請求項３に係る発明は、前記冷却風流路の流路断面積が前記冷却風の流れ方向に沿って縮小される箇所に隣接して配置されることを特徴とする請求項１又は請求項２に記載の冷却装置である。
冷却性能を向上するためには、冷却風の流路断面積を絞って流速を増加させ、エンジン主機に形成される冷却フィンの根元付近まで冷却風を送り込むことが好ましいが、このような箇所は異物の堆積が生じやすい箇所であるともいえる。
この点、本発明によれば、異物の堆積時に可動部材を第２の位置へ変位させて堆積物を吹き飛ばすことによって、良好な冷却性能を維持することができる。
【発明の効果】
【０００８】
以上説明したように、本発明によれば、簡単な構成によって冷却風流路における異物の堆積を防止した冷却装置を提供することができる。
【図面の簡単な説明】
【０００９】
【図１】本発明を適用した冷却装置の実施例を有するエンジンをクランクシャフト軸線方向から見た図である。
【図２】図１のエンジンのシリンダ軸線方向から見た図であって、可動部材が第１の位置にある状態を示す図である。
【図３】図１のエンジンのシリンダ軸線方向から見た図であって、可動部材が第２の位置にある状態を示す図である。
【発明を実施するための形態】
【００１０】
本発明は、簡単な構成によって冷却風流路における異物の堆積を防止した冷却装置を提供する課題を、冷却風流路の屈曲箇所における外側部分に可動部材を設け、高温時にバイメタルの変形によって可動部材を堆積物排出位置へ変位させ、堆積物を冷却風で吹き飛ばすことによって解決した。
【実施例】
【００１１】
以下、本発明を適用した冷却装置の実施例について説明する。
実施例の冷却装置は、例えば、走行式の草刈機（モアー）に駆動用動力源としてセットされる強制空冷式のガソリン汎用エンジンに設けられる。
図１は、実施例の冷却装置を有するエンジンをクランクシャフト軸線方向から見た図である。
図２は、図１のエンジンのシリンダ軸線方向から見た図であって、可動部材が第１の位置にある状態を示す図（図１のII−II部矢視断面図）である。
図３は、図１のエンジンのシリンダ軸線方向から見た図であって、可動部材が第２の位置にある状態を示す図（図２に相当する断面を示す図）である。
【００１２】
エンジン１は、例えば、クランクシャフト１０の中心軸方向を実質的に水平として配置されるＶ型２気筒のＯＨＶエンジンである。
エンジン１は、クランクシャフト１０、クランクケース２０、シリンダ３０、シリンダヘッド４０、エアガイド５０等を有して構成されている。
【００１３】
クランクシャフト１０は、エンジン１の出力軸であって、中間部分に設けられた図示しないクランクピン部に、各気筒のピストンがコネクティングロッドを介して接続されている。
クランクシャフト１０の端部は、クランクケース２０の側面部から突出している。
図２、図３における右側のクランクシャフト１０の端部には、図示しないブロワファンが取り付けられている。
ブロワファンは、エンジン１の運転時に、クランクシャフト１０とともに回転し、外径側に空気流（冷却風）を送出する送風手段である。
【００１４】
クランクケース２０は、クランクシャフト１０の中間部を収容する容器状の部材である。
クランクケース２０は、クランクシャフト１０に形成されたジャーナル部を回転可能に支持する一対のメインベアリングや、各摺動部に潤滑油を供給する潤滑装置、エンジン１の始動を行うスタータモータ等を有する。
また、クランクケース２０の内部には、クランクシャフト１０の１／２の回転数で同期して回転し、図示しないプッシュロッドを介してシリンダヘッド４０内の給排気バルブを駆動するカムシャフトが設けられている。
【００１５】
シリンダ３０は、図示しないピストンが挿入される部分であって、クランクケース２０からクランクシャフト１０の径方向にほぼ沿って突出して設けられている。
実施例の場合、エンジン１はＶ型２気筒エンジンであり、シリンダ３０は所定のバンク角（一例として９０°）を挟んで一対設けられている。
各シリンダ３０は、鉛直方向及び水平方向に対して、それぞれシリンダヘッド４０側が上方となるように傾斜して配置されている。
シリンダ３０の内部には、ピストンが挿入されるシリンダボア（スリーブ）、プッシュロッドが収容される通路部、シリンダヘッド４０を潤滑したオイルがクランクケース２０側へ流下する油路部などが設けられている。
【００１６】
シリンダ３０の外周面部には、冷却用のフィン３１が設けられている。
フィン３１は、シリンダ３０の外周面部から外径側につば状に張り出した平板状となっている。
フィン３１は、シリンダ３０の筒軸方向に沿って複数配列されている。
【００１７】
シリンダヘッド４０は、シリンダ３０のクランクケース２０側とは反対側の端部に取り付けられている。
シリンダヘッド４０は、燃焼室、点火栓４０ａ、吸排気ポート及びこれを開閉する吸排気バルブとその駆動機構等を有する。
図示しない燃焼室は、シリンダ内の図示しないピストン冠面に対向して配置された凹部であって、圧縮された混合気を燃焼する空間部の一部を構成する。
図示しない吸気ポートは、燃焼室内に燃焼用空気（混合気）を導入する流路である。
排気ポート４０ｂは、燃焼室から既燃ガス（排ガス）を排出する流路である。
吸気バルブ、排気バルブは、吸気ポート、排気ポート４０ｂを、所定のバルブタイミングで開閉する弁体である。
動弁駆動機構は、カムシャフトによって駆動されるプッシュロッドの並進運動を、ロッカ軸回りの揺動に変換し、バルブ軸端部を押圧するロッカアーム等を有する。
【００１８】
シリンダヘッド４０の外表面部におけるシリンダ３０と隣接する領域には、冷却用のフィン４１が設けられている。
フィン４１は、シリンダヘッド４０の外面部から外側につば状に張り出した平板状となっている。
フィン４１は、シリンダ３０の筒軸方向に沿って複数配列されている。
以上説明したクランクケース２０、シリンダ３０、シリンダヘッド４０は、エンジン１の本体部分（主機部分）を構成する。
【００１９】
エアガイド５０は、上述したブロワファンが発生する冷却風Ｗを、シリンダ３０及びシリンダヘッド４０の外表面に沿って案内し、フィン３１，４１の間隔に送り込む導風手段である。
エアガイド５０は、壁部５１、可動部材５２、バイメタル５３等を有して構成されている。
【００２０】
壁部５１は、シリンダ３０の下方側（他気筒のシリンダ３０側とは反対側）の外周面部、及び、フィン３１の突端部と、所定の間隔を隔てて対向して配置された平板状の部分である。
壁部５１は、クランクシャフト１０の軸方向、及び、シリンダ３０の軸方向とそれぞれ平行な平面にほぼ沿って配置されている。
壁部５１とシリンダ３０との間には、冷却風Ｗを、クランクシャフト１０の軸方向にほぼ沿って、ブロワファン側から反対側へ流す冷却風流路が形成される。
【００２１】
可動部材５２は、壁部５１の下流側の端部に取り付けられている。
可動部材５２は、バイメタル５３の熱変形によって、エンジン１の通常使用時の状態である第１の位置（冷却風案内位置）と、エンジン１が所定の高温状態にあるときの状態である第２の位置（堆積物排出位置）との間で変位する。
可動部材５２は、シリンダ３０に対して外側が凸となる曲面状に形成されている。
可動部材５２は、第１の位置にあるときに、壁部５１とシリンダ３０との間の冷却風流路を、クランクシャフト１０の軸方向に沿って流れてきた冷却風Ｗを、シリンダ３０におけるブロワファン側とは反対側（排気ポート４０ｂ側）の面部側へ偏向させるよう、カールした形状となっている。
可動部材５２のシリンダ３０軸線方向から見た断面形状は、実質的に円弧状となっている。
可動部材５２の壁部５１側の端部は、反対側の端部がシリンダ３０に近接又は離間する方向に揺動可能な状態で壁部５１に取り付けられている。
【００２２】
バイメタル５３は、可動部材５２の壁部５１との接続部近傍に設けられ、熱膨張率の異なった金属を重ね合わせて構成され、温度変化に応じて曲げ変形を示す感温部材である。
バイメタル５３は、可動部材５２の曲面部における壁部５１との接合部近傍に、可動部材５２に重ね合わせて配置されている。
バイメタル５３は、所定の高温状態において、それ自体の湾曲の曲率が小さくなるよう（伸びる方向）に変形し、このとき、可動部材５２におけるバイメタル５３が設けられた領域も、バイメタル５３とともに曲率が小さくなるように変形する。
図３に示すように、バイメタル５３は、最終的には実質的にストレートな状態まで伸張する。
バイメタル５３は、エンジン１の通常使用時の温度においては、可動部材５２の壁部５１側とは反対側の端部が、シリンダ３０のフィン３１の突端部に近接する第１の位置とし、エンジン１が所定の高温状態（冷却風流路に堆積物が溜まった状態）においては、可動部材５２の壁部５１側とは反対側の端部が、第１の位置に対して離間する第２の位置となるように、可動部材５２を変位させる。
可動部材５２は、第１の位置にあるときには、冷却風流路の流路断面積を壁部５１が設けられた領域に対して縮小することによって、絞り効果により冷却風Ｗの流速を増加させるとともに、フィン３１の根元付近まで冷却風Ｗを導入し、排気ポート側のシリンダ３０及びシリンダヘッド４０の冷却効果を高めるようにしている。
【００２３】
以下、実施例の冷却装置の動作について説明する。
エンジン１の冷間時、通常運転時における温度範囲においては、可動部材５２は、図２に示すように、第１の位置に配置されている。
エンジン１の運転中には、ブロワファンが発生する冷却風Ｗは、壁部５１とシリンダ３０との間の冷却風流路に導入され、可動部材５２においてシリンダ３０のブロワファン側とは反対側（排気ポート４０ｂ側）の面部を冷却するよう偏向される。
【００２４】
実施例のように、芝刈機に搭載されるエンジンにおいては、刈り取った芝草等の異物が、冷却風Ｗに同伴して、冷却風流路に入り込むことがある。
可動部材５２が設けられた箇所は、冷却風流路の屈曲部であるとともに、冷却風流路の流路断面積が流れ方向に沿って縮小する絞り箇所でもあることから、異物が堆積しやすい。
芝草等の異物が堆積すると、冷却風流路の流路断面積が小さくなり、さらに堆積量が増加すると冷却風流路が実質的に閉塞されて、十分な冷却風Ｗを通過させることができなくなる。
このような状態になると、エンジン１の冷却状態は悪化し、シリンダ３０、シリンダヘッド４０の表面温度は通常の運転状態よりも高温の状態となる。
【００２５】
シリンダ３０等が高温状態になると、バイメタル５３は熱変形により曲率が小さくなるよう変形し、可動部材５２を、図２に示す第１の位置から、図３に示す第２の位置に変位（変形）させる。
これによって、冷却風流路内における可動部材５２近傍に堆積した芝草等の異物は、冷却風Ｗの圧力によって、外部へ吹き飛ばされ排出される。
堆積物が排出された結果、冷却風Ｗの流量が増加すると、エンジン１の冷却状態が良好となり、シリンダ３０の温度が通常運転時の温度まで低下すると、バイメタル５３は可動部材５２を第１の位置へ復帰させる。
【００２６】
以上説明した実施例によれば、以下の効果を得ることができる。
（１）エアガイド５０に可動部材５２及びバイメタル５３を設ける簡単な構成によって、冷却風流路への異物の堆積を効果的に防止し、エンジンの冷却性能を確保してオーバーヒートや焼き付きを未然に防止することができる。
（２）可動部材５２を、冷却風Ｗが偏向される冷却風流路の屈曲部でありかつ冷却風流路が絞られる箇所に設けたことによって、異物の堆積が生じやすい箇所において、上述した効果を確実に発揮することができる。
【００２７】
（変形例）
本発明は、以上説明した実施例に限定されることなく、種々の変形や変更が可能であって、それらも本発明の技術的範囲内である。
エンジン及び冷却装置の構成は、上述した実施例の構成に限定されず、適宜変更することが可能である。
例えば、実施例においては、エンジンは芝刈機に搭載されるＶ型２気筒のＯＨＶエンジンであったが、エンジンの用途（セット機器）、シリンダレイアウト、動弁駆動方式などは適宜変更することが可能である。
また、導風部材の形状、可動部材が設けられる位置等は、適宜変更することが可能である。
【符号の説明】
【００２８】
１    エンジン                  １０    クランクシャフト
２０    クランクケース            ３０    シリンダ
３１    フィン                    ４０    シリンダヘッド
４０ａ  点火栓                    ４０ｂ  排気ポート
４１    フィン                    ５０    エアガイド
５１    壁部                      ５２    可動部材
５３    バイメタル                  Ｗ    冷却風
【図１】
2017145797.tif 000003
【図２】
2017145797.tif 000004
【図３】
2017145797.tif 000005